(57)【要約】      （修正有）【課題】構造が簡単で製造コストが安く、かつ床ずれを防止したい部位以外に作用することを抑制した床ずれ防止具を提供する。【解決手段】床ずれを発症する可能性のある身体の部位を保護するための床ずれ防止具であって、緩衝材を内包するリング状又は中央部に凹部を形成する円形状の床ずれ防止パッド１０ａと、この床ずれ防止パッド１０ａが装着され着用可能なサポーター２０ａと、を備え、床ずれ防止パッド１０ａの表面の少なくとも一部及びサポーター２０ａの表面の少なくとも一部には着脱手段を備え、床ずれ防止パッド１０ａはサポーター２０ａの表面に着脱可能に装着されることを特徴とする床ずれ防止具１ａによる。【選択図】図１
2018187055.tif 000002
【特許請求の範囲】
【請求項１】
床ずれを発症する可能性のある身体の部位を保護するための床ずれ防止具であって、
緩衝材を内包するリング状又は中央部に凹部を形成する円形状、多角形状若しくは放射形状の床ずれ防止パッドと、
この床ずれ防止パッドが装着され着用可能なサポーターと、を備え、
前記床ずれ防止パッドの表面の少なくとも一部及び前記サポーターの表面の少なくとも一部には着脱手段を備え、前記床ずれ防止パッドは前記サポーターの表面に着脱可能に装着されることを特徴とする床ずれ防止具。
【請求項２】
前記着脱手段は、面ファスナーであることを特徴とする請求項１記載の床ずれ防止具。
【請求項３】
前記面ファスナーは、前記床ずれ防止パッド側が雄部に、前記サポーター側が雌部に形成されることを特徴とする請求項２記載の床ずれ防止具。
【請求項４】
前記サポーターに利用者の体位を固定するために着脱可能に装着される円柱又は多角柱の支持具を備えることを特徴とする請求項１乃至請求項３のいずれか１項に記載の床ずれ防止具。
【請求項５】
前記緩衝材は、ポリエステル、ポリウレタン、ポリスチレン、ポリオレフィン、ポリ塩化ビニル、ポリアミド、ポリイミド、シリコン、動物又は植物由来の天然素材から選択される少なくとも１種の繊維又は混紡繊維、発泡体、あるいは樹脂であることを特徴とする請求項１乃至請求項４のいずれか１項に記載の床ずれ防止具。
【発明の詳細な説明】
【技術分野】
【０００１】
本発明は、床ずれ（褥瘡）が発症する可能性のある身体の部位を保護するための床ずれ防止具であって、特に、利用者による自由度の高い装着が可能な床ずれ防止具に関する。また、床ずれのほか、睡眠時無呼吸症候群等の睡眠時呼吸障害のおそれのある患者による利用も可能な床ずれ防止具に関する。
【背景技術】
【０００２】
床ずれは、寝床で同じ体位を長時間維持した結果、肩甲骨部、仙骨部、踵骨部等の骨が突出した部位付近の軟部組織が圧迫されることによって生ずる。かかる床ずれは、寝たきりの高齢者に生じやすい。特に、高齢化が進むわが国において、在宅で３年以上寝たきりの６５歳以上高齢者は半数近くを占めるといわれており、今後益々床ずれ発症者が増加することが予想されている。
【０００３】
床ずれを防止するには、定期的に体位を変化させて骨突出部の血流を改善することが効果的である。しかしながら、特に寝たきりの高齢者の体位を変化させることは、看護師や家族等の介護者にとっては重労働であり、かつ定期的に体位を変化させるためには頻繁に寝たきりの高齢者のそばにいなければならい。そのため、介護者にとって過度の負担が生じてしまうのが現状である。
【０００４】
ところで、床ずれは発症が気づき難く悪化しやすいという問題がある。具体的には、何らかの疾患を治療中の患者において鎮痛剤を用いている場合には、仮に床ずれが発症しても患者が痛みを感じ難い。そのために床ずれが進行し、介護者が床ずれを見つけたときには手術が必要な段階にまで悪化している場合も多い。したがって、床ずれが発症した場合に治療することよりも、床ずれの発症そのものを防止することが極めて重要である。
【０００５】
そこで床ずれの防止に関していくつかの発明が開示されている。特許文献１には、「床ずれ予防具及びその製法」という名称で、自己体重による血管圧迫により突出骨部表皮に表われる発赤の部位を寝具と接触させず、軟質凹型を、発生部位を取り巻く形状とした微振動装置を備える発明が開示されている。このように構成された床ずれ予防具は、軟質凹部周辺における圧迫接触を防ぐと共に流電時の微振動により血流を促すことで床ずれを予防することが可能である。
【０００６】
特許文献２には、「介護用品」という名称で、ほぼリング状の絹の袋により形成され、絹の袋内に絹から成る真綿が充填される円座から成る発明が開示されている。このように構成された介護用品は、表面が絹からなることによって湿気を除去しつつ床ずれを防止することが可能である。
【０００７】
特許文献３には、「整形保護当てまくら」という名称で、長方形部材にミシンステッチと充填物を入れ、凹凸の山形を三個、四個、又は六個作製し、かつ長さ方向に調節紐を通してループを作り、使用部位に合わせて紐の長さを自由調節できる発明が開示されている。このように構成された整形保護当てまくらは凹凸の山形を有するため、これを用いて寝た場合に凹部に肩甲骨が接することより床ずれを防ぐことが可能となるほか、調節紐があるためにまくらが外れ難いという特徴を有する。
【０００８】
さらに、床ずれを防止するための技術は、利用者、患者の体位を変えることが可能であるものが多いことから、近年取り沙汰されることが多くなってきた睡眠時無呼吸症候群のような睡眠時呼吸障害を改善、予防することも可能である。そこで、床ずれの防止の他に睡眠時呼吸障害の防止にも効果を発揮する発明もこれまで開示されてきた。
例えば、特許文献４には、「睡眠呼吸障害及び／又は床ずれを防止できる衣類及びこれを用いた睡眠呼吸障害及び／又は床ずれ防止方法」という名称で、衣類の背面上に収縮及び膨脹が可能なように装着される複数のエアーチャンバと、各エアーチャンバにエアーを供給するエアー供給部と、エアーチャンバの圧力を測定して測定された圧力を電気的な信号として出力する圧力検知部と、圧力検知部から出力される前記測定された圧力信号を受信して前記睡眠者のいびき及び無呼吸を感知した時又は同じ姿勢で一定時間が経過した時にエアー供給部がエアーチャンバにエアーを供給するようにして使用者の姿勢を変化させる制御部を備えた発明が開示されている。このように構成された衣類は、同じ姿勢で一定時間が経過した時に姿勢を自然に変化させることで睡眠時呼吸障害や床ずれを防止することが可能となる。
【先行技術文献】
【特許文献】
【０００９】
【特許文献１】特開２００４−５７７４３号公報
【特許文献２】特開平５−１５４１７８号公報
【特許文献３】特開２０１１−１２５６７９号公報
【特許文献４】特表２００９−５２５１６０号公報
【発明の概要】
【発明が解決しようとする課題】
【００１０】
しかしながら、特許文献１に開示される発明においては、軟質凹部がシート上に設けられているため、床ずれを予防したい部位に軟質凹部を自ら接触させなければならず、また床ずれを防止したい部位に軟質凹部を接触させても睡眠中に体位を変えてしまうと、床ずれを予防したい部位以外に軟質凹部が接触することも頻発し、床ずれを予防したい部位以外を圧迫して快適な睡眠を妨げたり、むしろ床ずれを悪化させる可能性もあるという課題があった。さらに、微振動装置という複雑な装置が必要であり、高コストとなるという課題もあった。
【００１１】
特許文献２に開示される発明においては、円座を寝具の上に置いて用いるため、円座が寝具上で動いてしまい、床ずれを予防したい部位に円座を接触させることが難しく、かつ床ずれを予防したい部位以外にも円座が接触してしまうという課題があった。
【００１２】
特許文献３に開示される発明においては、床ずれを防止したい部位がまくらと接するため、まくらで体重が十分に分圧されない場合に床ずれを生じてしまうという課題や、床ずれを防止したい部位以外もまくらで広く覆われてしまうため、気温が高い時期には汗で蒸れて皮膚がふやけてしまい、かえって床ずれを生じやすくしてしまうという課題があった。
【００１３】
特許文献４開示される発明においては、エアーを供給するためのエアーポンプが必要となり高コストとなるほか、利用者が睡眠中にエアーチャンバが膨張することより目覚めを誘導してしまうという課題があった。
【００１４】
本発明はかかる従来の事情に対処してなされたものであり、構造が簡単で製造コストが安く、かつ利用者の使用に対する自由度と信頼度を高めることで床ずれを防止したい部位以外に作用することを抑制した床ずれ防止具を提供することを目的とする。また、睡眠時呼吸障害をも防止、改善可能な床ずれ防止具を提供することも目的とする。
【課題を解決するための手段】
【００１５】
上記目的を達成するため、第１の発明である床ずれ防止具は、床ずれを発症する可能性のある身体の部位を保護するための床ずれ防止具であって、緩衝材を内包するリング状又は中央部に凹部を形成する円形状、多角形状若しくは放射形状の床ずれ防止パッドと、この床ずれ防止パッドが装着され着用可能なサポーターと、を備え、床ずれ防止パッドの表面の少なくとも一部及びサポーターの表面の少なくとも一部には着脱手段を備え、床ずれ防止パッドはサポーターの表面に着脱可能に装着されることを特徴とするものである。
上記構成の発明においては、床ずれを発症する可能性のある身体の部位における自己の体重による圧迫力及びずれ力を排除又は緩和するという作用を有する。また、床ずれ防止パッドを装着され着用可能なサポーターが利用者の身体の移動や就寝時の寝返り等の体位の変化に対応するように作用する。なお、本願においてリング状とは、環状を意味し、輪郭が丸形状のみならず多角形状であっても環状になっていればよい。また、放射形状の場合では、リング状は放射形状の中央部分が環状になっていることを意味し、中央部に凹部を形成するというのは、放射形状の中央部分に凹部が形成されることを意味している。
また、表面の少なくとも一部に着脱手段を備えるとは、表面に別体として設置されている場合の他、表面自身の少なくとも一部が着脱手段化している場合も含む概念である。
【００１６】
第２の発明である床ずれ防止具は、第１の発明において、着脱手段は、面ファスナーであることを特徴とするものである。
上記構成の発明においては、第１の発明と同じ作用に加えて、床ずれを発症する可能性のある所望の身体の部位に床ずれ防止パッドを容易に着脱できるという作用を有する。
【００１７】
第３の発明である床ずれ防止具は、第２の発明において、面ファスナーは、床ずれ防止パッド側が雄部に、サポーター側が雌部に形成されることを特徴とするものである。
上記構成の発明においては、第１の発明と同じ作用に加えて、サポーターの表面において雌部は雄部と異なり突起状のフック構造を有さないため、サポーターに装着する必要性のない生地等に対する粘着性を発揮しないという作用を有する。なお、本願で面ファスナーの雄部とはフック構造を備えた箇所を意味し、雌部とはループ構造を備えた箇所を意味する。面ファスナーはフック構造にループ構造が掛かることで接着、貼着するものである。
【００１８】
第４の発明である床ずれ防止具は、第１の発明乃至第３の発明のいずれかにおいて、サポーターに利用者の体位を固定するために着脱可能に装着される円柱又は多角柱の支持具を備えることを特徴とするものである。
上記構成の発明においては、第１の発明乃至第３の発明のいずれかと同じ作用に加えて、サポーターに支持具を装着することで、利用者の体位を所望の傾きあるいは位置に固定、保持するという作用を有する。
また、第４の発明における円柱又は多角柱の支持具は、第１の発明乃至第３の発明における床ずれ防止パッドと併用するように作用する。また、床ずれ防止パッドは支持具で傾いたり固定、保持された体位において利用者の荷重が集中するような位置に配置することで、荷重の集中を緩和するように作用する。
【００１９】
第５の発明である床ずれ防止具は、第１の発明乃至第４の発明のいずれかにおいて、緩衝材は、ポリエステル、ポリウレタン、ポリスチレン、ポリオレフィン、ポリ塩化ビニル、ポリアミド、ポリイミド、シリコン、動物又は植物由来の天然素材から選択される少なくとも１種の繊維又は混紡繊維、発泡体、あるいは樹脂であることを特徴とするものである。
上記構成の発明においては、第１の発明乃至第４の発明のいずれかと同じ作用を有する。なお、本願で動物由来の天然素材とは羊毛又は絹を意味し、植物由来の天然素材とは綿又は麻を意味する。
【発明の効果】
【００２０】
本発明の第１の発明である床ずれ防止具によれば、身体に着用可能なサポーターに床ずれ防止パッドを装着するので、利用者各々が床ずれを発症する可能性のある身体の部位付近を自身で確認しながら、床ずれ防止パッドを装着することができる。
また、利用者の体位が就寝中等に変化するような場合でも、床ずれ防止パッドは常に床ずれを発症する可能性のある身体の部位に配置されており、再び体位が戻った場合には同様に床ずれを防止することができる。さらに、利用者が寝床等で体位を変化させた場合に、それぞれの体位において床ずれを防止する必要がある箇所毎に床ずれ防止パッドを装着しておくことで、複数の体位となった場合でもそれぞれ床ずれを防止することが可能である。
【００２１】
本発明の第２の発明である床ずれ防止具によれば、第１の発明と同様の効果を発揮できるとともに、容易に床ずれ防止パッドを床ずれを発症する可能性のある身体の部位付近に設けることができるとともに、床ずれ防止パッドを備えていない領域において、利用者が寝床で横たわる際に何ら違和感や抵抗感を感じることがない。また、床ずれ防止パッドを外し、適宜移動させて再度装着することも可能であり、利用者の状況に応じて自由度の高い配置を実現することが可能である。
【００２２】
本発明の第３の発明である床ずれ防止具によれば、第１の発明又は第２の発明と同様の効果を発揮できるとともに、サポーターが寝具のカバーや衣服等の生地に接した場合に、その生地の表面が傷つくことや、床ずれ防止パッド以外の生地であって表面にループ構造を有する生地、例えばタオル地と接着することを抑制することができる。
【００２３】
本発明の第４の発明である床ずれ防止具によれば、第１の発明乃至第３の発明のいずれかに記載の発明と同様の効果を発揮できるとともに、利用者の体位を所望の位置に保持したい場合に、安定的に保持することができる。また、利用者が睡眠時無呼吸症候群等の呼吸障害を患っている場合には、サポーターの背中側の側面部に支持具を備えることで利用者が仰臥位（仰向け）とならないような体位に保持することができる。
しかも、支持具とサポーターも着脱手段あるいはそれが面ファスナーであったりして装着されるので、利用者の体形や体重に合わせて、その数や装着箇所を自由度高く選択して配置することが可能である。また、支持具を用いて体位を変更した際に、体重を支える箇所に床ずれ防止パッドを装着することで体重を分散させることが可能である。
したがって、睡眠時無呼吸症候群等の治療も患者の負担を軽減することが可能である。
【００２４】
本発明の第５の発明である床ずれ防止具によれば、第１の発明乃至第４の発明のいずれかに記載の発明と同様の効果を発揮できる。
【図面の簡単な説明】
【００２５】
【図１】本発明の実施例１に係る床ずれ防止具を示す概念図であり、（ａ）は正面から見た際の概念図、（ｂ）は別の一例で背面から見た際の概念図である。
【図２】床ずれを発症する可能性のある身体の部位を示す概念図である。（ａ）は仰臥位（仰向け）の場合の概念図、（ｂ）は側臥位（横向き）の場合の概念図である。
【図３】本発明の実施例１の床ずれ防止具におけるリング状の床ずれ防止パッドの一例を示す図であり、（ａ）は平面図、（ｂ）は（ａ）におけるＡ−Ａ線矢視断面図である。
【図４】本発明の実施例１の床ずれ防止具における変形例として円形状の床ずれ防止パッドを示す図であり、（ａ）は平面図、（ｂ）は（ａ）におけるＢ−Ｂ線矢視断面図である。
【図５】本発明の実施例１の床ずれ防止具における変形例として四角形状の床ずれ防止パッドを示す図であり、（ａ）は平面図、（ｂ）は（ａ）におけるＣ−Ｃ線矢視断面図である。
【図６】本発明の実施例２に係る床ずれ防止具を示す図で、サポーターがパンツ形状である例を示しており、（ａ）は正面図、（ｂ）は背面図である。
【発明を実施するための形態】
【００２６】
本発明の実施の形態に係る床ずれ防止具について図１乃至図６を参照しながら詳細に説明する。なお、本発明において、床ずれとは、褥瘡（じょくそう）とも呼ばれる状態であり、体に加わった外力が骨と皮膚表層の間の軟部組織の血流を低下あるいは停止させ、その状況が一定時間持続されて組織が不可逆的な疎血性壊死に陥ったものをいう。かかる床ずれは「圧迫力」と「ずれ力」によって発し、特に骨突出部において発症しやすい。そのため、床ずれを防止するには、圧迫力とずれ力をできるだけ排除又は抑制する必要がある。
【実施例１】
【００２７】
図１は、本発明の実施例１に係る床ずれ防止具を示す概念図であり、（ａ）は正面から見た際の概念図、（ｂ）は別の一例で背面から見た際の概念図である。
図１に示すように、実施例１に係る床ずれ防止具１ａは、床ずれ防止パッド１０ａが、シャツ形状のサポーター２０ａにおける肩峰部Ｋ、肩甲骨部Ｌ、及び仙骨部Ｍが位置する場所に、面ファスナー１２によって着脱自在に装着されている。
さらに、利用者の体位を固定するために着脱可能に装着される円柱の支持具３０が、シャツ形状のサポーター２０ａにおける背中側の側面部に面ファスナー１２によって着脱自在に装着されている。
床ずれ防止パッド１０ａ及び支持具３０は、サポーター２０ａと接する部位の一部に面ファスナーの雄部を備えており、サポーター２０ａの全表面には面ファスナーの雌部が形成されている。したがって、面ファスナー１２とは正確には面ファスナーの雄部を指しているが便宜上、面ファスナー１２としている。
サポーター２０ａに床ずれ防止パッド１０ａが面ファスナー１２によって装着されているため、利用者や介護者は大きな自由度で床ずれ防止パッド１０ａをサポーター２０ａに装着することができる。
【００２８】
床ずれ防止パッド１０ａ及び支持具３０の表面に面ファスナー１２の雄部を形成し、サポーター２０ａの表面に面ファスナー１２の雌部を形成しているため、サポーター２０ａと寝具周りの繊維や生地との干渉がなく、接着や貼着が生じ難いので、サポーター２０ａの表面を清潔かつ床ずれ防止パッド１０ａの貼着容易な状態に維持することが可能である。一方、床ずれ防止パッド１０ａの表面が雄部であることから不使用時の管理を入念にしてタオル等の他の繊維や生地に接着しないように留意する必要がある。
その他、本実施例の床ずれ防止具では、床ずれ防止パッド１０ａの追加や削減も容易であり、装着場所の変更も容易に適宜実行することができる。さらに、サポーター２０ａに装着されるので、利用者が体位を変化させたり、介護者が一定時間ごとに医療者の体位を変化させたとしても、常に床ずれを発症する可能性のある身体の部位と床ずれ防止パッド１０ａとの位置関係は不変であることから、圧迫力及びずれ力の排除又は緩和を安定的に継続することが可能となる。
【００２９】
次に、支持具３０を用いる場合について説明を加える。
支持具３０は、床ずれ防止パッド１０ａをより立体的に形成したものであり、利用者の体位を固定するために着脱可能に装着され、例えば体重がかかっても形状を維持可能でありかつ利用者に痛みを伴わない程度の硬質のポリウレタンの発泡体が内包されている。支持具３０の形状は円柱に限らず、四角柱等の多角柱であってもよい。また、内包される物質としては、より利用者に痛みを感じさせない発泡ビーズのような全体として柔軟な材料や、後述する緩衝材１４の材質を採用してもよい。
支持具３０は、これをサポーター２０ａに装着することで、利用者が体重をかけた際でも体と寝床にすき間を生じさせることができる。すなわち、利用者が、睡眠時の無呼吸を誘引するとされている仰臥位（仰向け）になることを物理的に防止し、側臥位（横向き）となるように体位を固定することができる。
支持具３０とサポーター２０ａも面ファスナー１２で装着されるので、利用者の体形や体重に合わせて、その数や装着箇所を自由度高く選択して配置することが可能である。また、側臥位で就寝する場合には、床ずれはないにしても体重を支える体の面積が仰臥位よりも縮小するので、その側臥位の際に体重を支える箇所に床ずれ防止パッド１０ａを装着することで、側臥位となりながらも体重を分散させることが可能である。
したがって、睡眠時無呼吸症候群の治療も患者の身体的な負担を軽減することが可能であり、治療に持続性を持たせることが可能である。
【００３０】
再び、図２（ａ）及び（ｂ）を参照しながら床ずれの防止に話を戻す。
図２（ａ），（ｂ）は、それぞれ仰臥位時と側臥位時に発症する可能性のある身体の部位を示す概念図である。
床ずれは、図２（ａ）に示すように、仰臥位（仰向け）の場合には、後頭部４１、肩甲骨部４２、仙骨部４３、踵骨部４４に発症しやすく、図２（ｂ）に示すように、側臥位（横向き）の場合には、側頭部４５、耳介部４６、肩峰部４７、肋骨角部４８、肘関節部４９、腸骨稜部５０、大転子部５１、膝関節部５２、内・外踝部５３に発症しやすい。
さらに、利用者の体形、各部位の骨の突出の有無及び突出の程度、床に入った時の体位の習慣等に応じて発症する部位異なる。そのため、図１ではシャツ形状のサポーター２０ａにおける肩甲骨部４２の２か所、肩峰部４７の２か所及び仙骨部４３が位置する場所にサポーター２０ａが装着されていたが、上記に限らず、サポーター２０ａ表面における、個々の利用者に応じて床ずれが発症しやすいと思われる部位が位置する場所に床ずれ防止パッド１０ａを設ければよい。
また、上述のように仰臥位（仰向け）と側臥位（横向き）で床ずれが発症しやすい部位が相違する。そのため、本実施例では、利用者の体位の変化に対応すべく、仰臥位（仰向け）と側臥位（横向き）のどちらの体位であっても床ずれを防止できるように個々の利用者に応じて床ずれ防止パッド１０ａを設けることが可能である。
【００３１】
すなわち、従来技術のように敷物に床ずれ防止パッド１０ａを装着する場合には、体位が変化すると同一の利用者であっても床ずれ防止パッド１０ａが床ずれを防止したい箇所からずれてしまうが、本実施例における床ずれ防止具であれば、それぞれの体位においてサポーター２０ａが下面となる箇所にそれぞれ床ずれ防止パッド１０ａを装着しておくことで、体位が変化してもそれぞれの体位で床ずれを防止あるいは改善することが可能であり、この点が従来技術とは異なり、決定的な優位性を発揮する点である。
さらに、床ずれ防止パッド１０ａを装着する際には、着用可能なサポーター２０ａを予め着用しておくことで、利用者自身がいずれの箇所が床ずれの原因となる箇所であるかを確認及び判断することが可能である。したがって、床ずれ防止パッド１０ａを容易に精度高く装着することが可能である。本実施例に係る床ずれ防止具１ａによれば、先のように体位が変化することも考慮することが可能であるので、その体位を取りながら体位毎に、いずれの箇所に床ずれ防止パッド１０ａを装着すればよいかを容易かつ高精度に確認及び判断することが可能である。
【００３２】
なお、サポーター２０ａの表面において、個々の利用者に応じて床ずれが発症しやすいと思われる部位が位置する場所以外には床ずれ防止パッド１０ａを装着する必要はない。すなわち、個々の利用者に応じて床ずれが発症しやすいと思われる部位が位置する場所のみに床ずれ防止パッド１０ａを装着すればよい。このように利用者の体形等身体的な特徴に応じてカスタマイズが可能であるので、利用者が床ずれ防止パッド１０ａによる違和感や抵抗感をほとんど覚えることなく寝床で横たわることが可能となるほか、防止パッド１０ａが睡眠の妨げとなることを抑制することが可能となる。
【００３３】
図１では面ファスナー１２によって床ずれ防止パッド１０ａ及び支持具３０を着脱可能に装着しているが、着脱可能である限り、スナップボタン、磁石、繰り返し着脱可能な粘着剤、又は両面テープ等の着脱手段で装着してもよい。
また、本実施例においては、床ずれ防止パッド１０ａ及び支持具３０が、サポーター２０ａと接する部位の一部に面ファスナー１２の雄部を備えており、すなわち、面ファスナー１２は床ずれ防止パッド１０ａ及び支持具３０の表面に対して別体に設けられているが、これは床ずれ防止パッド１０ａや支持具３０の表面を面ファスナー１２の雄部の様に形成してもよい。さらに、本実施例では、サポーター２０ａの全表面には面ファスナーの雌部が形成されているが、これについては逆にサポーター２０ａの表面に別体の面ファスナーの雌部を別体に備えるようにしてもよい。ただし、サポーター２０ａの表面に面ファスナーの雌部を別体に設ける場合は、装着される床ずれ防止パッド１０ａや支持具３０の配置についての自由度が損なわれないようにする必要がある。
このことも考慮して本実施例ではサポーター表面の全面を面ファスナーの雌部に形成している。
【００３４】
また、図１ではサポーター２０ａの全表面に着脱手段として面ファスナーが形成されているが、少なくとも上記床ずれが発症しやすいと思われる部位が位置する場所のみに面ファスナー等の着脱手段が形成されていてもよい。
【００３５】
次に、床ずれ防止パッド１０ａについて図３により詳細に説明する。床ずれ防止パッド１０ａは、ポリエチレンの繊維からなる緩衝材１４をナイロンとポリウレタンからなるメッシュ状のカバー１６で内包するリング状（ドーナツ状）であり、中央部に孔部１３を形成している。孔部１３の内径は５ｃｍであるが、利用者の体形や床ずれが発症しやすいと思われる部位に応じて３〜１０ｃｍの範囲とすることができる。
なお、カバー１６の材質としては、身体に直接装着されるものではないので、あまり限定はされないが、製造や加工が容易でコストも合理的な範囲として考えるならば、ポリエステル、ポリウレタン、ポリスチレン、ポリエチレンやポリプロピレン等のポリオレフィン、ポリ塩化ビニル、ポリアミド、ポリイミド、シリコン、動物由来の天然素材である羊毛や絹、あるいは植物由来の天然素材である綿や麻から選択される少なくとも１種の繊維や複数の素材を含む混紡繊維であることが望ましい。
また、緩衝材１４の材質としては、自己の体重による圧迫力及びずれ力を緩衝できる素材であればよく、ポリエステル、ポリウレタン、ポリスチレン、ポリエチレンやポリプロピレン等のポリオレフィン、ポリ塩化ビニル、ポリアミド、ポリイミド、シリコン、動物由来の天然素材である羊毛や絹、あるいは植物由来の天然素材である綿や麻から選択される少なくとも１種の繊維や複数の素材を含む混紡繊維、発泡体、あるいは樹脂であればよい。通気性を高めて汗により蒸れて皮膚がふやけることを防止する観点、及び床ずれ防止パッド１０ａの洗浄を容易にする観点からは、繊維であることが好ましい。
【００３６】
緩衝材１４を内包するカバー１６は、メッシュ状であることから、通気性を高めて汗により蒸れて皮膚がふやけることを防止すると共に、自己の体重によるずれ力を吸収しやすくすることが可能となる。
なお、図３に示す床ずれ防止パッド１０ａはリング状であるが、中央部に凹部を形成する円形状や多角形状であってもよい。そこで、次に実施例１の変形例について説明する。
＜実施例１の変形例＞
【００３７】
本実施例１の床ずれ防止パッド１０ａの変形例を図４及び図５を参照しながら説明する。
図４（ａ）及び（ｂ）はそれぞれ中央部に凹部１５を形成する円形状の床ずれ防止パッド１０ｂの平面図とＢ−Ｂ線矢視断面図を示しており、図５（ａ）及び（ｂ）は中央部に凹部１５を形成する四角形状の床ずれ防止パッド１０ｃの平面図とＣ−Ｃ線矢視断面図を示している。
図４あるいは図５に示した実施例１の変形例における床ずれ防止パッド１０ｂ，１０ｃにおいては、リング状又は中央部に凹部１５を形成する円形状若しくは多角形状とすることで、体形や部位の形状や仰臥位や側臥位といった体位の変化時に発生する張力の方向性等に応じて形状を適用させることが可能である。
したがって、床ずれが発症しやすいと思われる部位が寝床と接することを防ぐことや、床ずれが発症しやすいと思われる部位がたとえ衣服やサポーター２０ａを介して寝床に接した場合にも大きな自由度をもって圧迫力やずれ力を排除又は緩和することができる。
なお、本実施例１の変形例においては、床ずれ防止パッド１０ｂ，１０ｃは円形状あるいは多角形状としたが、この他にも例えばプラス（＋）形状や三ツ矢形状等放射形状に構成されるようにしてもよい。そして、その放射形状の中央部分に凹部１５を形成させるのである。このように放射状に形成されることで、床ずれを防止したいと考える箇所にその放射状の中心部分の凹部１５を配置して装着すると、関節のように曲がる箇所の場合には張力をその放射状に周囲に伸びる部分のそれぞれに分散させることも可能である。したがって、関節の曲げも容易であり、床ずれ防止パッドも外れ難くなり長時間に亘って安定した装着が可能である。
さらに、実施例１のように放射形状の中央部を環状に形成しても凹部１５を形成した際と同様の効果を発揮することが可能である。
【００３８】
さらに、実施例１及び実施例１の変形例に共通して、サポーター２０ａは、利用者における床ずれが発症しやすいと思われる部位を、直接又はパジャマ等の衣服若しくは下着を介して着脱可能に覆うことができればよく、図１に示すシャツ形状に限らず、ジャケット（上着）形状、パンツ（ズボン）形状、靴下形状、頭部サポーター形状、肘サポーター形状、腰サポーター形状、膝サポーター形状であってもよい。
利用者がサポーター２０ａを身につけたまま床に入るため、サポーター２０ａの材質は伸縮性を有する材質であることが好ましい。
そこで、図６を参照しながら、実施例２にかかる床ずれ防止具１ｂについて説明する。
【実施例２】
【００３９】
図６は本発明の実施例２に係る床ずれ防止具を示す図で、サポーターがパンツ形状である例を示しており、（ａ）は正面図、（ｂ）は背面図である。
図６において、床ずれ防止具１ｂは、実施例１の床ずれ防止具１ａに採用されている床ずれ防止パッド１０ａを使用しているが、それを装着するサポーターとしてパンツ形状のサポーター２０ｂを採用したものである。
床ずれ防止パッド１０ａは、膝関節部Ｘ、大転子部Ｙ及び仙骨部Ｚが位置する場所に、面ファスナー１２によって着脱自在に装着されている。
このように構成された床ずれ防止具１ｂにおける床ずれ防止パッド１０ａは、既に実施例１で説明したとおりの構成、作用及び効果を備えるものであり、パンツ状のサポーター２０ｂについても、形状が実施例１と異なるのみであり、その他の構成、作用及び効果については実施例１と同様であるのでその説明を省略する。
【産業上の利用可能性】
【００４０】
本発明は、病院、介護施設あるいは自宅で長時間床に入る場合における床ずれ防止具として利用可能である。また、同様に、病院、介護施設あるいは自宅で睡眠時無呼吸症候群等の呼吸障害を軽減、防止するためにも利用可能である。
【符号の説明】
【００４１】
１ａ，１ｂ…床ずれ防止具  １０ａ，１０ｂ，１０ｃ…床ずれ防止パッド  １２…面ファスナー  １３…孔部  １４…緩衝材  １５…凹部  １６…カバー  ２０ａ，２０ｂ…サポーター  ３０…支持具  ４１…後頭部  ４２…肩甲骨部  ４３…仙骨部  ４４…踵骨部  ４５…側頭部  ４６…耳介部  ４７…肩峰部  ４８…肋骨角部  ４９…肘関節部  ５０…腸骨稜部  ５１…大転子部  ５２…膝関節部  ５３…内・外踝部
【図１】
2018187055.tif 000003
【図２】
2018187055.tif 000004
【図３】
2018187055.tif 000005
【図４】
2018187055.tif 000006
【図５】
2018187055.tif 000007
【図６】
2018187055.tif 000008